(57)【要約】  【課題】粒状や粉状の物品を正確に取り出しできると共に、既存の缶への適用も容易な定量取り出し装置を提供する。  【手段】定量取り出し装置は、上下に開口した計量枡３と、計量枡３がスライド自在に嵌まったケース２と、計量枡３をスライド操作するための操作部材４と、ケース２に取り付くアダプタ１とを備えている。アダプタ１には包装用缶Ｃを逆さまの姿勢で取付けられる。ケース２には流入口１３と排出口１４とが開口している。計量枡３をスライドさせると、ケース２による摺り切り作用によって正確な量の物品が取り出される。アダプタ１の存在により、既存の缶Ｃからも定量の物品を取り出すことができる。【選択図】        図４
2007040706.tif 000002
【特許請求の範囲】
【請求項１】
粒状又は粉状の物品が入る上下開口の計量枡と、前記計量枡を水平方向にスライド自在に保持するケースと、前記計量枡をスライドさせる操作手段とを備えており、
前記ケースは、前記計量枡のスライドを許容した状態で当該計量枡に上方から重なる上板と、前記計量枡のスライドを許容した状態で当該計量枡に下方から重なる下板とを備えており、前記ケースの上板には計量枡に物品を流し込むための流入口が形成され、下板には計量枡から物品を流下させるための排出口が形成されており、前記流入口と排出口とを、平面視で重複しないように計量枡のスライド方向にずらして配置しており、更に、前記計量枡には、当該計量枡がケースの排出口と連通した状態においてケースの流入口を塞ぐ遮蔽部が設けられている、
定量取り出し装置。
【請求項２】
前記ケースには、物品を収納した容器を逆さにした状態に保持するアダプタが設けられており、このアダプタは、容器内の物品をケースの流入口に流下させ得る開口部を備えている、
請求項１に記載した定量取り出し装置。
【請求項３】
粉状又は粒状の物品を収納する箱状の容器本体と、この容器本体の隅部に設けた定量取り出し装置とを備えており、
前記定量取り出し装置は、容器本体の内部で略上向きに開口した状態と容器本体の外側において略上向きに開口した状態とに姿勢又は位置を変更可能な計量枡と、計量枡を覆うケースとを備えており、前記ケースには、容器本体の内部に位置した状態の計量枡に物品を流し込むことを許容する流入口が形成されている一方、前記計量枡には、当該計量枡を容器本体の外側に開口するように引き出した状態で前記ケースの流入口を塞ぐ遮蔽部を設けている、
包装用容器。
【発明の詳細な説明】
【技術分野】
【０００１】
本願発明は、粒状物品やや粉状・顆粒状物品のような非液体でかつ流動性をもった物品を一定量ずつ取り出すための装置及びこれを備えた包装用容器に関するものである。
【背景技術】
【０００２】
コーヒー豆のような豆類や穀物類、粉末洗剤やインスタントコーヒーのような粉類、口中清涼剤のような錠剤類などの流動性物品を定量だけ取り出す装置は種々提案されている。
【０００３】
例えば特許文献１には、シャッターを穴が空いたスライドさせることによってホッパーからカップに物品が流れ落ちるようにした装置が開示されており、特許文献２にはいわゆる振り出し式の定量吐出容器が開示されており、特許文献３，４にはロータリー式の計量体を有する定量振り出し容器が開示されており、特許文献５には、回動式の計量体を備えた定量振り出し容器が開示されている。
【特許文献１】実公平７−２６６６４号公報
【特許文献２】特開平９−２３０１４０４号公報
【特許文献３】実開昭４９−１０９９４３号公報
【特許文献４】実開昭５２−７０６４５号公報
【特許文献５】実開昭５３−１００３４３号公報
【発明の開示】
【発明が解決しようとする課題】
【０００４】
特許文献１のものは、シャッター板の下方に配置したカップに物品を流し込むものであるが、シャッターを引いた状態で物品は流れ続けるため、たとえば容量の大きいカップに所定量だけ物品を取り出すということはできず、定量取り出し機能が完全とは言い難い。
【０００５】
他方、特許文献２のものは計量部に摺り切り機能がないため取り出し量の正確さに問題がある。また、コーヒー豆のように香りの散逸や傷付き防止、割れ防止等の点から容器内での流動を嫌う物品があるが、特許文献２〜５のものは、容器の姿勢を変えることによって定量切り出しと振り出しとを行うものであり、振り出すたびに物品が容器内で大きく流動するため、これら容器内での流動を嫌う物品の包装容器には適用し難いという問題があった。
【０００６】
また、例えばコーヒー豆を金属板製の缶に詰めて販売しているように、流動性物品は剛体構造の容器や可撓性素材の袋に詰めて販売されていることが多いが、従来の定量取り出し装置は容器に予め一体化しているため、市販されている容器や袋から物品を定量だけ取り出すことには適用できない（すなわち汎用性に欠ける）という点も問題であった。
【０００７】
本願発明は、これらの現状を改善した定量取り出し装置を提供することを第１の課題とするものである。
【０００８】
ところで、特許文献５は計量体（計量カップ）に設けた摘まみを人が指で引くことにより、計量体を容器本体（箱）の外側に引き出すもので、計量体を容器本体の外側に引き出してから容器本体を傾けることによって計量体の物品を放出するものであるが、計量体の開きかたが不完全であると、物品が流れ落ち続けるという問題があった。本願発明は、この問題を改善することを第２の課題とするものである。
【課題を解決するための手段】
【０００９】
請求項１の発明は定量取り出し装置に係るもので、この定量取り出し装置は、粒状又は粉状の物品が入る上下開口の計量枡と、前記計量枡を水平方向にスライド自在に保持するケースと、前記計量枡をスライドさせる操作手段とを備えている。
【００１０】
そして、前記ケースは、前記計量枡のスライドを許容した状態で当該計量枡に上方から重なる上板と、前記計量枡のスライドを許容した状態で当該計量枡に下方から重なる下板とを備えており、前記ケースの上板には計量枡に物品を流し込むための流入口が形成され、下板には計量枡から物品を流下させるための排出口が形成されており、前記流入口と排出口とを、平面視で重複しないように計量枡のスライド方向にずらして配置しており、更に、前記計量枡には、当該計量枡がケースの排出口と連通した状態においてケースの流入口を塞ぐ遮蔽部が設けられている。
【００１１】
請求項２の発明は、請求項１において、前記ケースには、物品を収納した容器を逆さにした状態に保持するアダプタが設けられており、このアダプタは、容器内の物品をケースの流入口に流下させ得る開口部を備えている。
【００１２】
請求項３の発明は包装容器に係るもので、この容器は、粉状又は粒状の物品を収納する箱状の容器本体と、この容器本体の隅部に設けた定量取り出し装置とを備えている。
【００１３】
そして、前記定量取り出し装置は、容器本体の内部で略上向きに開口した状態と容器本体の外側において略上向きに開口した状態とに姿勢又は位置を変更可能な計量枡と、計量枡を覆うケースとを備えており、前記ケースには、容器本体の内部に位置した状態の計量枡に物品を流し込むことを許容する流入口が形成されている一方、前記計量枡には、当該計量枡を容器本体の外側に開口するように引き出した状態で前記ケースの流入口を塞ぐ遮蔽部を設けている。
【発明の効果】
【００１４】
請求項１の発明によると、計量枡のスライド動によって物品を定量だけ切り出して取り出すものであるため、摺り切り作用によって物品の取り出し量を正確ならしめることができ、また、動くのは計量枡のみであるため、流動することを嫌う物品の定量取り出しに好適である。また、計量枡がケースの排出口に連通した状態でケースの流入口は計量枡の遮蔽部で塞がれているため、物品がこぼれ出るような不都合はない。
【００１５】
請求項１の装置は、包装箱やボトル等の容器本体に一体的に組み込んだり、ケースにホッパー状やカップ状等の物品収容部を一体に設けたりすることも可能であるが、請求項２のようにアダプタを設けると、缶や袋、瓶といった既存の容器（包装容器）を取り付けることが可能になるため、汎用性に優れている。なお、アダプタの形態・構造は容器の種類に応じて異ならせたらよい。場合によっては、アダプタを筒状に形成して、その全体を開口させることも可能である。
【００１６】
請求項３の構成は一種の振り出し方式であるが、計量体を容器本体の外側に引き出した状態でケースの流入口は計量体の遮蔽部で塞がれているため、容器本体の内部の物品がこぼれ出るような不具合は生じない。
【発明を実施するための最良の形態】
【００１７】
次に、本願発明の実施形態を図面に基づいて説明する。
【００１８】
(1).第１実施形態（図１〜図４）
図１〜図４は第１実施形態を示している。図１は一部の部材を分離した状態での斜視図、図２は計量機構部の分離斜視図、図３は全体の分離平面図、図４のうち（Ａ）は使用状態での一部破断平面図、（Ｂ）は（Ａ）のＢ−Ｂ視断面図、（Ｃ）は（Ａ）のＣ−Ｃ視拡大断面図である。
【００１９】
本実施形態は例えばコーヒー豆のように缶に包装されている物品の定量取り出しに使用されるものであり、逆さまにした缶Ｃが装着されたアダプタ１と、アダプタ１を装着するケース２と、ケース２の内部にスライド自在に嵌め入れた計量枡３と、ケース２に外側から装着した操作部材とを備えている。各部材は合成樹脂からなっている（勿論、他の素材製でもよい）。
【００２０】
図１から容易に理解できるように、アダプタ１は円筒状に形成されており、上部には仕切り板５が形成されており、仕切り板５のうち外周寄りの一部に、缶Ｃに包装された物品Ｇを下方に流下するための開口部６を設けている。図４（Ｃ）に示すように、アダプタ１における上部の内面には、缶Ｃを倒れ不能に保持する保持手段の一例として、缶Ｃの巻き締め部Ｃ１と係合する環状突起７を設けている。このため、缶Ｃをワンタッチで着脱することができ、かつ、シール性を確保することができる。敢えて述べるまでもないが、缶Ｃを上向き開口した姿勢でアダプタ１を取付け、それから全体をひっくり返すことになる。
【００２１】
ケース２は長方形で箱状の形態を成しており、アダプタ１には、ケース２に上方から嵌まるための切欠き８を形成している。例えば図２から容易に理解できるように、ケース２は上板９と下板１０と左右の側板１１と前板１２とを備えて後ろ向き開口した形態であり、上板９には、アダプタ１を前後ずれ不能に嵌め込むための庇部９ａを形成している。
【００２２】
そして、上板９には、平面視でアダプタ１の開口部６と重なり合う流入口１３を形成しており、下板１０には、排出口１４を形成している。排出口１４は平面視で流入口１３と重ならないように前板１２の側に位置している。ケース２の左右側板１１には、後ろ向きに開口した長溝穴１５が形成されている。
【００２３】
計量枡３は、左右の側板１６と上板１７と前板１８と後面板１９とを備えており、手前側の部位には上下に開口した計量部２０を備えている。計量部２０の平面形状と大きさはケース２の流入口１３及び排出口１４と殆ど同じになっている。
【００２４】
計量枡３は手前にスライドし切った状態で計量部２０がケース２の排出口１４と平面視で重なっており、かつ、手前にスライドし切った状態でケース２の流入口１３は計量枡３の上板１７で塞がれている。従って、上板１７が請求項に記載した遮蔽部になっている。また、計量枡３の左右側面にはケース２の長溝穴１５にスライド自在に嵌まる横向き突起２１を前後一対ずつ形成している。
【００２５】
操作部材４は、左右の側板２３と底板２４と前板２５を備えており、更に、アダプタ１の手前側においてケース２の上面に重なる上面板２６を備えている。左右側板２３には、計量枡３の横向き突起２１に嵌合する係合穴２７を形成しており、また、側板２３の手前部分には、人が指で摘むに際して引っ掛かりを良くするための凸条群２８を形成している。更に、側板２３のうちケース２における庇部９ａの下方の部分は、当該庇部９ａとの干渉を防止するため切欠いている。
【００２６】
操作部材４を後退させるとその前板２５がケース２の前面に当たることによって計量枡３の後退位置が規定され、操作部材４を手前に引くと、計量枡３の横向き突起２１が長溝穴１５の前端に当たることにより、計量枡３の前進位置が規制される。そして、本実施形態では操作部材４が底板２４を備えているため、底板２４には、手前に引き出し切った状態でケース２の排出口１４と重なり合う連通穴２９を設けているが、操作部材４が底板２４を備えていない場合は当然ながら連通穴２９は存在しない。
【００２７】
以上の構成において、操作部材４を手で押し引きして計量枡３を往復動させることにより、缶Ｃに入っていた物品Ｇを計量枡３における計量部２０の容量ずつ取り出すことができる。物品が焙煎済のコーヒー豆である場合は、定量取り出し装置をコーヒーミルのホッパーに重ねて操作部材４を操作することによって一定量のコーヒー豆をコーヒーミルに直接に流し込むことができる。勿論、カップ等の他の容器に取り出すことも可能である。
【００２８】
そして、計量枡３の計量部２０に入った物品Ｇはケース２で摺り切りされるため、正確な量を取り出すことができる。また、缶Ｃは一定の姿勢のままであるため、物品Ｇの香りの散逸や物品の割れ・傷付きといった問題も抑制できる。そして、アダプタ１の存在により、既存の缶Ｃにそのまま適用することができるのである。
【００２９】
なお、缶Ｃは大きさの異なるものが存在するが、この点については、異なる大きさのアダプタ１を用意したり、１種類のアダプタ１に大きさが異なる缶保持部を形成することで対応できる。ケース２の上面にアダプタとしての筒部を一体に形成して、この筒部に缶Ｃを嵌め込むといったことも可能である。更に、容器がねじ蓋式の容器（瓶）である場合は、筒状のアダプタに雌ねじを形成したらよいのであり、更に、包装用容器が袋である場合は、袋を筒状のアダプタ１に縛り固定するなどしたらよい。
【００３０】
(2).第２〜３実施形態（図５〜図６）
図５ではアダプタ１の変形例である第２実施形態を示している。すなわち、この実施形態のアダプタ１は、仕切り板５を開口部６に向けて高さが低くなるように傾斜させている。このため、缶Ｃに包装されていた物品Ｇはその全量が開口部６から流下する。
【００３１】
図６では第３実施形態を示している。この実施形態は回転操作式のものであり、（Ａ）は平面図、（Ｂ）は（Ａ）のＢ−Ｂ視断面図、（Ｃ）は（Ａ）のＣ−Ｃ視断面図である。
【００３２】
この実施形態は、上下に分離した上ケース２ａ及び下ケース２ｂと、下ケース２ｂの上部に回転自在に嵌め込まれた計量枡３とを備えている。上ケース２ａは有底筒状で底板には流入口１３を形成している。他方、下ケース２ｂはその上下中途高さ位置に仕切り板５を備えており、この仕切り板に５に、流入口１３とは円周方向に離反した位置に排出口１４が形成されており、排出口１４は軸心箇所に位置した樋部１４ａを備えている。上ケース２ａと下ケース２ｂとは、融着や強制嵌合等によって相対回転不能に保持されている。
【００３３】
計量枡３は上ケース２ａの下板１０と下ケース２ｂの仕切り板５との間に位置しており、その回転によって流入口１３と排出口１４とに選択的に重なり合う上下開口の計量部２０と、外側から回転操作するめの操作部３０とを備えている。この実施形態から理解できるように、請求項にいう「スライド」とは旋回式も含むのである。なお、本実施形態では上ケース２が包装容器に対するアダプタを兼用している。
【００３４】
(3).第４実施形態（図７）
図７では請求項３に対応した第４実施形態を示している。（Ａ）は包装用容器の全体の斜視図、（Ｂ）は（Ａ）のＢ−Ｂ視断面図、（Ｃ）は（Ｂ）のＣ−Ｃ視断面図、（Ｄ）は（Ｂ）のＤ−Ｄ視断面図、（Ｅ）は（Ｂ）のＥ−Ｅ視断面図である。
【００３５】
本実施形態の容器は例えば粉末洗剤の包装に使用されるもので、紙製や樹脂製等の容器本体（箱）３２と、容器本体３２の上部隅部に設けた定量取り出し装置３３とを備えており、定量取り出し装置３３は、ケース３４とその内部に配置した計量枡３５とを備えている。
【００３６】
ケース３４は、扇形の左右側板３６と、左右側板３６に連接した外周板３７と、外周板３７の下端に連接した底板３８とを備えており、外周板３７のうち上部に流入口３９を形成している。外周板３７は、流入口３９の下方に長く延びている。
【００３７】
一方、計量枡３５は断面Ｖ字形で放射方向に開口した計量部４０を備えており、その下端に設けた突起３５ａをケース３４の穴に嵌め入れる等にすることにより、下端を中心に回動して、計量部４０がケース３４の流入口３９と連通した押し込み状態と、計量部４０が容器本体３２の外側に開口した引き出し状態とに切り換わるようになっている。また、計量枡３５に人が指を掛けるための引手片４１と、引き出し状態においてケース３４の流入口３９を塞ぐ遮蔽部４２とを一体に形成している。
【００３８】
また、計量枡３５を押し込み位置と引き出し位置とに保持する保持手段の一例として、計量枡３５における遮蔽部４２の下端部に、ケース３４の側板３６に弾性的に当接する係合突起４３を設ける一方、ケース３４の側板３６には、計量枡３５の押し込み状態と引き出し状態とで前記係合突起４３が弾性に抗して選択的に嵌まる係合穴４４を設けている。
【００３９】
本実施形態では、容器本体３２を逆さに近い状態まで傾けることによって計量枡３５に物品Ｇを流し込み、次いで、計量枡３５を引き出してから物品Ｇを振り出すことになる。そして、計量部４０に溜まっていた物品Ｇは計量枡３５の引き出し動作によって摺り切り作用を受けるため、正確な量を振り出すことができる。また、計量枡３を引き出した状態で流入口３９は遮蔽部４２で塞がれているため、物品Ｇが外部にこぼれ出たり、ケース２の内部に流れ込んだりすることはない。
【００４０】
本実施形態では計量枡は回動式になっているが、第１実施形態と同様のスライド方式とすることも可能である。
【図面の簡単な説明】
【００４１】
【図１】第１実施形態の斜視図である。
【図２】第１実施形態における計量機構部の分離斜視図である。
【図３】全体の分離平面図である。
【図４】(A) は使用状態での一部破断平面図、(B) は(A) の B-B視断面図、(C) は(A) の C-C視断面図である。
【図５】第２実施形態を示す図である。
【図６】第３実施形態を示す図である。
【図７】第４実施形態を示す図である。
【符号の説明】
【００４２】
１  包装用缶
２  ケース
３  計量枡
４  操作部材
６  開口部
１３，３９  流入口
１４  排出口
２０  計量部
３２  容器本体
３３  定量取り出し装置
３４  ケース
３５  計量枡
３９  流入口
４２  遮蔽部
【図１】
2007040706.tif 000003
【図２】
2007040706.tif 000004
【図３】
2007040706.tif 000005
【図４】
2007040706.tif 000006
【図５】
2007040706.tif 000007
【図６】
2007040706.tif 000008
【図７】
2007040706.tif 000009